(57)【要約】【課題】  遊技盤を取付枠に対して前方及び後方のいずれの方向からでも着脱できるようにしたパチンコ遊技機を提供する。【解決手段】  遊技盤７の設置領域２０が前後方向に開放して設けられる取付枠６と、前記取付枠６に対する遊技盤７の相対位置を決める位置規制手段２１，２２と、前記取付枠６の前方又は後方から操作することにより前記遊技盤７を前記設置領域２０に着脱交換可能に取付ける固定手段２５とを備え、前記位置規制手段２１，２２は前記遊技盤７の前面に当接して遊技盤７の前方への移動を阻止する前規制部２１と該遊技盤７の後面に当接して遊技盤７の後方への移動を阻止する後規制部２２とにより構成され、前記設置領域２０を正面視して取付枠６の周縁部分の任意の２点を結ぶ仮想直線により区分される設置領域のいずれか一方の領域に前記前規制部２１を設け他方の領域に前記後規制部２２を設けた。【選択図】図３
2005021616.tif 000002
【特許請求の範囲】
【請求項１】
遊技盤の設置領域が前後方向に開放して設けられる取付枠と、前記取付枠に対する遊技盤の相対位置を決める位置規制手段と、前記取付枠の前方又は後方から操作することにより前記遊技盤を前記設置領域に着脱交換可能に取付ける固定手段とを備え、
前記位置規制手段は前記遊技盤の前面に当接して遊技盤の前方への移動を阻止する前規制部と該遊技盤の後面に当接して遊技盤の後方への移動を阻止する後規制部とにより構成され、前記設置領域を正面視して取付枠の周縁部分の任意の２点を結ぶ仮想直線により区分される設置領域のいずれか一方の領域に前記前規制部を設け他方の領域に前記後規制部を設けたことを特徴とするパチンコ遊技機。
【請求項２】
前記前規制部及び後規制部は遊技盤の設置領域の中心点に対してほぼ点対称となる位置に設けたことを特徴とする請求項１記載のパチンコ遊技機。
【請求項３】
前記固定手段は取付枠の前方及び後方から操作し得る操作部を有すると共に遊技盤又は取付枠の前面及び後面に係止する挟着片を設けたことを特徴とする請求項１又は２記載のパチンコ遊技機。
【請求項４】
前記固定手段は遊技盤又は取付枠に着脱自在に設けたことを特徴とする請求項１乃至３のいずれかに記載のパチンコ遊技機。
【発明の詳細な説明】
【技術分野】
【０００１】
本発明は、遊技盤の着脱作業の容易化を図ったパチンコ遊技機に関するものである。
【背景技術】
【０００２】
従来、一般的なパチンコ遊技機は、遊技盤のみの運搬及びホールにおいて遊技盤のみを交換することにより機種変更を可能にするために、遊技盤が着脱できるようになっている。すなわち、パチンコ遊技機の前面に前面枠が開閉自在に設けられ、その裏面に一体又は別体で設けられる取付枠に遊技盤が着脱自在に設けられている。そして、その遊技盤の着脱方向は機種により異なり、パチンコ遊技機の前方からであったり後方からであったりしていた（例えば、特許文献１及び特許文献２参照。）。
【特許文献１】特公平４−６８９５７号公報（図４及び図５）
【特許文献２】特開平１１−４７３８９号公報（図１及び図６）
【発明の開示】
【発明が解決しようとする課題】
【０００３】
従来のパチンコ遊技機における遊技盤の取付けにあっては、パチンコ遊技機の組立て時とホールでの遊技盤の交換時とではその取付方向によって、優位性が大きく異なっている。つまり、パチンコ遊技機の組立て時においては、遊技盤はパチンコ遊技機の裏面側から装着したほうが効率がよい。というのも、遊技盤の裏面側に球払出装置等を備えた機構板を装着しなければならないため、遊技盤を前面側から装着するようにすると、いちいちパチンコ遊技機を反転させてから機構板を装着しなければならず、作業性が悪くなるという問題がある。一方、ホールにおいて、遊技盤のみを交換することにより機種変更する際には、パチンコ遊技機が島台に設置された状態にあるため、ガラス扉枠を開放して、遊技盤を着脱したほうが作業効率がよい。というのも、遊技盤をパチンコ遊技機の後方から装着するものであると、前面枠を開放してさらに機構板を開放してから、遊技盤を取外さなければならないため、交換作業が煩雑となっていた。このように、パチンコ遊技機の組立て時とホールでの遊技盤交換時とで、作業優位性が異なっていることから、前方又は後方のいずれか一方からの遊技盤の取付けは、パチンコ遊技機の組立て時又はホールでの遊技盤交換時のどちらかに不便さを強いることになっていた。
【課題を解決するための手段】
【０００４】
請求項１記載の発明は、遊技盤の設置領域が前後方向に開放して設けられる取付枠と、前記取付枠に対する遊技盤の相対位置を決める位置規制手段と、前記取付枠の前方又は後方から操作することにより前記遊技盤を前記設置領域に着脱交換可能に取付ける固定手段とを備え、前記位置規制手段は前記遊技盤の前面に当接して遊技盤の前方への移動を阻止する前規制部と該遊技盤の後面に当接して遊技盤の後方への移動を阻止する後規制部とにより構成され、前記設置領域を正面視して取付枠の周縁部分の任意の２点を結ぶ仮想直線により区分される設置領域のいずれか一方の領域に前記前規制部を設け他方の領域に前記後規制部を設けたことを特徴とする。ここでいう「設置領域」とは、遊技盤とほぼ同形状をして該遊技盤の奥行きを有する領域であり、形状は限定されるものではなく、方形状又は円形，蒲鉾型であってもよい。なお、前記位置規制手段は、取付枠に一体又は別体に設けられるのは問わず、取付枠に取付けられ前記遊技盤の周縁近傍に位置する部材の一部を使用して位置規制させるようにしてもよい。例えば取付枠の前面側に設けられるファール球樋，発射レールであっても、前面枠の裏面側に設けられる前面枠の施錠装置又は機構板のヒンジ部の取付板を延設して屈曲させるようにして位置規制手段としてもよい。
【０００５】
請求項２記載の発明は、請求項１記載の発明において、前記前規制部及び後規制部は遊技盤の設置領域の中心点に対してほぼ点対称となる位置に設けたことを特徴とする。
【０００６】
請求項３記載の発明は、請求項１又は２記載の発明において、前記固定手段は取付枠の前方及び後方から操作し得る操作部を有すると共に遊技盤又は取付枠の前面及び後面に係止する挟着片を設けたことを特徴とする。ここでいう「操作部」とは、指で摘み操作し得る操作片であっても、治具を嵌めて操作し得る溝，孔又は突部であってもよい。
【０００７】
請求項４記載の発明は、請求項１乃至３のいずれかに記載の発明において、前記固定手段は遊技盤又は取付枠に着脱自在に設けたことを特徴とする。遊技盤又は取付枠の周縁の適宜位置に前後方向に貫通し一側が開放する設置溝を形成し、前記設置溝に遊技盤を設置領域に固定させる係止部材を着脱自在に設けるのが好ましい。
【０００８】
遊技盤の設置領域が前後方向に開放して設けられる取付枠と、前記取付枠に対する遊技盤の相対位置を決める位置規制手段と、前記取付枠の前方又は後方から操作することにより前記遊技盤を前記設置領域に着脱交換可能に取付ける固定手段とを備え、前記位置規制手段は前記取付枠の後面に当接して遊技盤の前方への移動を阻止する前規制部と該取付枠の前面に当接して遊技盤の後方への移動を阻止する後規制部とにより構成され、前記遊技盤を正面視して周縁部分の任意の２点を結ぶ仮想直線により区分される領域のいずれか一方の領域に前記前規制部が位置し、他方の領域に前記後規制部が位置するように設けるようにしてもよい。前記位置決め手段の後規制部は、遊技盤面に装着される飾りランプ，証紙等を貼着する装飾部材又はガイドレ−ルの一部を遊技盤の外方に突出するように設けるようにすればよい。また、前規制部は、アウト口の後面を閉塞する閉塞板又は入賞球通路の一部を遊技盤の外方に突出するように設けるようにすればよい。
【０００９】
さらに、前記取付枠に対する遊技盤の相対位置を決める前規制部と後規制部は、取付枠及び遊技盤のそれぞれにいずれか一方を設けるようにしてもよく、前記遊技盤を取付枠に装着した状態を正面視して、該遊技盤の周縁部分の任意の２点を結ぶ仮想直線により区分される領域のいずれか一方の領域に前記前規制部が位置し、他方の領域に前記後規制部が位置するように設けるようにすればよい。なお、前後規制部は別体に設けるようにしてもよく、好ましくは取付枠又は遊技盤の周縁部に設けられる設置部材自体又はその一部を変形して前後規制部とするのがよい。
【００１０】
前記仮想直線を設置領域に遊技盤を取付ける際の仮想回転軸とし、遊技盤を設置領域に対して傾斜状に臨ませて前記仮想回転軸を中心として遊技盤を回動させ遊技盤の相対位置を位置決めするようにするのがよい。
【００１１】
前記取付枠は、上下左右側枠により構成され、遊技盤の設置領域がほぼ方形状に形成され、前記相対する上下側枠又は左右側枠のいずれか一組の端部であり設置領域の前後でほぼ点対称となる位置に遊技盤の前面及び後面が当接し位置決めする位置規制手段を設けるのが好ましい。
【００１２】
前記固定手段は、遊技盤面に対して垂直な回動軸を中心として回動自在に設けるのが好ましい。また、固定手段は遊技盤面に沿って可動するように設けてもよい。
【発明の効果】
【００１３】
本発明に係るパチンコ遊技機は、遊技盤の設置領域が前後方向に開放して設けられる取付枠と、前記取付枠に対する遊技盤の相対位置を決める位置規制手段と、前記取付枠の前方又は後方から操作することにより前記遊技盤を前記設置領域に着脱交換可能に取付ける固定手段とを備え、前記位置規制手段は前記遊技盤の前面に当接して遊技盤の前方への移動を阻止する前規制部と該遊技盤の後面に当接して遊技盤の後方への移動を阻止する後規制部とにより構成され、前記設置領域を正面視して取付枠の周縁部分の任意の２点を結ぶ仮想直線により区分される設置領域のいずれか一方の領域に前記前規制部を設け他方の領域に前記後規制部を設けることにより、パチンコ遊技機の前方又は後方のいずれの方向からも遊技盤を取付枠に位置決めでき、簡単に装着することができるという優れた効果を発揮する。また、遊技盤の取外しに際しても視認されない位置規制手段側の一側を押すだけで、遊技盤が傾斜するため遊技盤を把持することができ、取付枠から簡単に取外すことができる。
【発明を実施するための最良の形態】
【００１４】
遊技盤を取付枠の前方又は後方のいずれの方向からも着脱自在に装着し得るようにするという目的を、簡単な構造でしかも確実な取付を実現した。遊技盤の装着方向に対して手前に位置する前記位置規制手段側を、装着方向に対して前方に位置させるように、該遊技盤を仮想回転軸により回転させて設置領域に対して傾斜した状態で遊技盤の一側を該設置領域に臨ませ、前記遊技盤を前記仮想回転軸により逆回転させて取付枠と平行位置させることにより、遊技盤の前面及び後面が前記位置規制手段に当接するようにした。
【実施例１】
【００１５】
次に、図面に従い本発明の一実施例について説明する。図１は本発明が適用されるパチンコ遊技機の正面図、図２はパチンコ遊技機の裏面図である。図において、１はパチンコ遊技機の機枠、２は機枠１の前面に自由端側を施錠装置により施錠するように開閉自在に装着された前面枠である。前面枠２の前面にはガラス扉枠３及び打球供給皿４が開閉自在に設けられ、その下方に前記打球供給皿４の余剰球を貯留する余剰球受皿５が設けられている。また、前面枠２の裏面には合成樹脂により一体に形成した取付枠６が設けられ、該取付枠６に遊技盤７が着脱交換可能に装着され、前記ガラス扉枠３を介して該遊技盤７が視認し得るようにしている。また、該遊技盤７の裏面には球タンク８，球払出装置９等の裏部品及び回路基板１６等を組付けた合成樹脂製の機構板１０がヒンジ部材により開閉自在に装着される。なお、本実施例では前面枠２と取付枠６とを合成樹脂により一体に成形したものとして例示しているが、金属製としても前面枠２と取付枠６とをそれぞれ別体に形成したものであってもよい。当然のことではあるが、取付枠６を金属製とすることでアースしやすくすることができる。
【００１６】
前記遊技盤７は、図３に示すようにほぼ方形状に形成され、前面にほぼ円形に配設されたガイドレール１２によって遊技領域７ａが形成されている。そして、その遊技領域７ａ内に表示装置１３，入賞口１４，風車１５等の盤面部品が設けられ、遊技領域７ａの最下端にアウト口が設けられている。
【００１７】
前記取付枠６は、図３及び図４に示すように遊技盤７の下端を支持する下側枠６ｂと、遊技盤７の上部及び左右両側をそれぞれ支持する上側枠６ａ及び左右側枠６ｃ，６ｄとにより額縁状に形成されており、遊技盤７が取付けられる設置領域２０が前後方向に開放して設けられている。そして、下側枠６ｂの前面には前記ガイドレール１２に連通する発射レール１７及びファール球樋１８が設けられている。また、前記設置領域２０の前後に位置し、前記取付枠６に対する遊技盤７の相対位置を決める位置規制手段を設けている。該位置規制手段は、前記遊技盤７の前面に当接して遊技盤７の前方への移動を阻止する前規制部と、該遊技盤７の後面に当接して遊技盤７の後方への移動を阻止する後規制部とにより構成されている。この実施例において、位置規制手段は左右側枠６ｃ，６ｄの前後端部に位置し、設置領域２０の中心点に対してほぼ点対称位置となるように、前規制部及び後規制部として左右側枠６ｃ，６ｄの上端から下端にかけて帯状に前後当片２１，２２が設けられている。そして、一方の右側枠６ｄに設けられた前当片２１が遊技盤７の前面に当接し、他方の左側枠６ｃに設けられた後当片２２が遊技盤７の後面に当接するように設置領域２０を平面視して対角線上に設けられ、遊技盤７を取付枠６に位置決めするようにしている。つまり、前記前当片２１及び後当片２２は、前記設置領域２０を正面視して取付枠６の周縁部分の任意の２点を結ぶ仮想直線により区分される設置領域のいずれか一方の領域（図３において右）に前記前当片２１を少なくとも１箇所に設け、他方の領域（図３において左）に前記後当片２２を少なくとも１箇所に設け、かつ取付枠６を正面視して前当片２１及び後当片２２間に遊技盤７の厚みが通過可能な間隙を有し、遊技盤７の着脱を妨げない位置に設けられる。なお、前記仮想直線は設置領域２０に遊技盤７を取付ける際の仮想回転軸とし、遊技盤７を設置領域２０に対して傾斜状に臨ませて前記仮想回転軸を中心として遊技盤７を回動させ遊技盤７の相対位置を位置決めするようにしている。
【００１８】
また、取付枠６の適宜位置に、遊技盤７に係止して該遊技盤７を設置領域２０に固定させる固定手段としての係止部材２５が複数個回動自在に設けられている。前記係止部材２５は、図５に示すように細径軸部２６の両端に遊技盤７の前面及び後面に係止する前後挟着片２７，２８が、ほぼ遊技盤７の厚みを隔てて相対位置に半径方向に平行に延出して設けられ、さらに取付枠６の前後方向のいずれの方向からでも操作し得る操作部として、手で係止部材２５を操作する操作片２９，３０が設けられ、全体形状を前後で対称形状としている。なお、前記挟着片２７，２８は、図上ほぼ方形状としたが形状に限定されるものではなく扇状であってもよく、このことからも操作角度は必ずしも９０°に限定されるものではない。また、係止部材２５は上下側枠６ａ，６ｂ及び左右側枠６ｃ，６ｄに着脱自在に設けられ、該上下・左右側枠６ａ〜６ｄには、前記係止部材２５の軸部２６が支持される設置部として、設置領域２０側の一端が開放する設置溝３１が形成されている。具体的には、下側枠６ｂ及び左右側枠６ｃ，６ｄの設置溝３１は、設置領域２０に向って斜め上方に開放するように形成され、上側枠６ａの設置溝３１は一端が下方で開放した円弧状に形成されている。なお、前記設置溝３１の開放端は、図５に示すように前記軸部２６よりも僅かに縮径してＣ字状に形成され、係止部材２５が簡単に外れないようにしている。前記係止部材２５の取付けは、前記設置溝３１に軸部２６を開放端から押し込み嵌挿することにより、該係止部材２５が取付枠６に装着される遊技盤７面に対して垂直な回動軸を中心として回動自在に取付けられ、前記挟着片２７，２８が遊技盤７の盤面に沿って回動する。なお、設置部は溝状のものに限られることなく軸部２６を両端で支持するようにしてもよい。そして、操作片２９，３０を操作して、軸部２６を支点に回動させることにより、前記前後挟着片２７，２８が遊技盤７の前面及び後面に沿って回動し、遊技盤７の前面及び後面に圧接係止させることができるようになっている。
【００１９】
次に、パチンコ遊技機の組立て時に優位性を持つ、後面側から遊技盤７を装着する仕方について説明する。まず、図４に示すように前記係止部材２５を上下左右側枠６ａ〜６ｄの設置溝３１に前後挟着片２７，２８が設置領域２０に臨まないように嵌め込む。このとき、前記係止部材２５が前後対称形状となっていることから、装着方向を気にすることなく取付けることができ、作業効率が捗ることになる。そして、遊技盤７を左右側枠６ｃ，６ｄに沿い、設置領域２０を正面視して該設置領域２０を左右にほぼ二分する上下方向の仮想線を仮想回転軸として、後当片２２側の遊技盤７の一側が設置領域２０に対して前方に傾斜するように、下側枠６ｂで遊技盤７を支持しながら、正面視して前当片２１及び後当片２２間の間隙から設置領域２０内に臨ませる。このとき、図６鎖線に示すように後当片２２側の遊技盤７の一側後面が、後当片２２と対峙するように臨ませるのが好ましい。次に、前記仮想回転軸を中心として図６矢印に示すように遊技盤７が設置領域２０に収納されるように逆回転させ、該遊技盤７が取付枠６とほぼ平行になると、後当片２２に遊技盤７の後面が当接すると共に、他側の相対する前面が前当片２１に当接して設置領域２０に位置決め戴置される。この状態で、前記係止部材２５の後面側の操作片３０を操作して、係止部材２５をほぼ９０°回転させると、図６に示すようにそれぞれの前後挟着片２７，２８が遊技盤７の前面及び後面に係止して、遊技盤７が取付枠６に確固として取付けられる。そして、機構板１０を該遊技盤７の裏面に装着し、遊技盤７に設けられる盤面部品等の配線を回路基板１６等に接続することでパチンコ遊技機の組立てが完了する。なお、当然左側枠６ｃ及び右側枠６ｄの前当片２１と後当片２２とを逆にしてもよいのはいうまでもなく、このとき遊技盤７の装着時に取付枠６に対する傾斜方向が逆になるのみで、遊技盤７の装着自体に何等問題となることはない。
【００２０】
次に、遊技盤７の取外しについて説明する。ここではホールに設置されたパチンコ遊技機の遊技盤７のみの交換で機種変更するに際して優位性を持つ、前面側からの遊技盤７の脱着について説明する。遊技盤７を取付枠６から取外すには、まず、図７に示すようにガラス扉枠３を開放して遊技盤７を露呈させる。そして、遊技盤７の前面側に位置する係止部材２５の操作片２９を指で回動操作して、遊技盤７の前面及び後面に係止している前後挟着片２７，２８を解除させて、遊技盤７が取付枠６に戴置された状態とする。そして、取外す方向に対して手前に位置する位置規制手段、つまり実施例において前当片２１により位置決めされている遊技盤７の右側を押して、同図鎖線に示すように取付枠６に対して遊技盤７を傾斜状で下側枠６ｂに支持させた状態で、前記遊技盤７の配線を取外して前記前当片２１をかわして、図３に示すように前方へ引き出し取外すことができる。
【００２１】
次に、新しい遊技盤７を前面側から装着するには、図３に示すようにガラス扉枠３が開放され設置領域２０が露呈した状態で、図７鎖線に示すように遊技盤７を左右側枠６ｃ，６ｄに沿った上下方向の仮想回転軸を中心として、前当片２１側が設置領域２０に対して後方に傾斜するように、下側枠６ｂで遊技盤７を支持しながら設置領域２０内に臨ませる。この状態で、遊技盤７の配線を機構板１０の回路基板１６等に接続し、前記仮想回転軸を中心として設置領域２０に遊技盤７が収納されるように回転させる。そして、遊技盤７が取付枠６とほぼ平行になると、後当片２２に遊技盤７の後面が当接すると共に、相対する前面が前当片２１に当接して位置決めされる。この状態で、前記係止部材２５の前面側の操作片２９を操作して、ほぼ９０°回転させると、図７に示すように前後挟着片２７，２８のそれぞれが遊技盤７の前面及び後面に係止して、遊技盤７が取付枠６に確固として取付けられる。なお、当然のことながら遊技盤７をパチンコ遊技機の後面側から取外すことも可能であり、前面枠２を開放すると共に図６に示すように機構板１０を開放して遊技盤７を露呈させ、係止部材２５を操作して遊技盤７の係止状態を解除し、前記前面側への取外しと同様に、図４に示すように遊技盤７を後面側に取外すことができる。
【００２２】
このように、前記上下左右側枠６ａ〜６ｄの前後端部であり、前記設置領域２０の中心点に対してほぼ点対称となる位置に、遊技盤７の前面若しくは後面が当接する位置規制手段を設けることにより、取付枠６に対して前方及び後方のいずれの方向からでも遊技盤７を装着することができる。このため、パチンコ遊技機の組立て時においてもホールでの遊技盤７の交換時においても、任意の方向から遊技盤７を着脱することができ、作業効率が大幅に向上する。
【００２３】
なお、位置規制手段を相対する左右側枠６ｃ，６ｄの点対称位置に設けるようにしたが、設置領域２０の中心点に対してほぼ点対称位置となるように、相対する上下側枠６ａ，６ｂの点対称位置に設けるようにしてもよい。また、位置規制手段は、図８（イ）に示すように設置領域２０の中心点に対してほぼ点対称位置となる上下左右側枠６ａ〜６ｄのコーナー部に設けるようにしてもよい。このとき、設置領域２０を正面視して該設置領域２０を斜め方向に二分する斜め方向の仮想線を仮想回転軸Ｒとして、遊技盤７を傾斜させて設置領域２０に臨むようにすればよい。また、位置規制手段は、必ずしも点対称位置に設けることはなく、図８（ロ）に示すように相対する上下側枠６ａ，６ｂ又は左右側枠６ｃ，６ｄに、前後に相対して部分的に複数設けるようにしてもよく、遊技盤７を設置領域２０に傾斜させて臨ませ、左右側枠６ｃ，６ｄに沿った上下方向の仮想回転軸Ｒを中心として回動させるようにすればよい。このとき、前当片２１及び後当片２２は仮想回転軸Ｒにより前当片２１側と後当片２２側に区分けされるように設けるのがよい。なお、好ましくは、左側枠６ｃに前当片２１を設け、右側枠６ｄに後当片２２を設けるのがよく、というのも、遊技機７を前方から装着する際に、遊技機７の左側方を後方に位置させ下側枠６ｄに遊技盤７の下面を支持させた状態とすることで、ガラス扉枠３の自由端側が広く開放し、遊技盤７の配線処理が行いやすくなるからである。
【００２４】
また、位置規制手段は、取付枠６と一体に設けることなく別体に取付けるようにしてもよく、更に好ましくは取付枠６又はその近傍に設けられる既存部品自体又はその一部を変形して利用するようにしてもよい。例えば、前面枠２の前面に設けられるトップレンズであったり、下側枠６ｂの前面に設けられる発射レール１７及びファール球樋１８であったり、前面枠２の裏面側に設けられる入賞球集合樋であったり、また前面枠２の施錠装置のベース部材，機構板１０又は前面枠２のヒンジ部材の取付板等を延設して屈曲させたりして位置規制手段としてもよい。特に、施錠装置又はヒンジ部材は基本的に金属で成形されているため、その一部を位置規制手段とすることで、該位置規制手段に弾性を付与することができ遊技盤７の圧着性がよくなり、遊技盤７をがたつきなく取付けることができる。このことは、前記取付枠６を金属製にして、該取付枠６に位置規制手段を設けたときにも言えることである。好ましくは、部分的に圧着調整を行いやすくするために、位置規制手段の適宜個所に切溝を設けて、より弾性を付与させるようにしてもよい。また、全体的に圧着させることなく部分的に圧着するように、部分的に弾性を付与した圧着調整用の規制部を設けるようにしてもよい。
【００２５】
また、前記係止部材２５は前記設置領域２０内に臨む位置に突出形成した保持部に設けるようにしてもよく、遊技盤７に該保持部に対応して切欠きを設けるようにすればよい。このとき、前記保持部が上下左右方向の位置決めとなると共に該保持部で遊技盤７の荷重が分散して支持される。
【００２６】
また、実施例において係止部材２５の操作部は、手で操作片２９，３０を操作するようにしたが、操作部にドライバー等の治具が係合する溝，孔又は突部等の係合部を形成して、該治具を使用して係止部材２５を操作するようにしてもよい。また、前記操作片２９，３０を係止部材２５に対して可倒式に設けるようにして、使用しないときには操作片２９，３０を突出しないように倒して邪魔にならないようにするのが好ましい。なお、この可倒式の操作片２９，３０の構造は限定されることなく、多種な方法が考えられる。
【実施例２】
【００２７】
図８は他の実施例を示し、前記実施例と異なる点は係止部材２５を遊技盤７側に設けた点であるので、同じ構成には同一符号を付して説明する。なお、この実施例において、位置規制手段としての前当片２１及び後当片２２は、相対する上下側枠６ａ，６ｂの前後端部に位置して、設置領域２０の中心点に対してほぼ点対称となる位置に全幅に亘って設けられている。図上前当片２１が上側枠６ａに設けられ後当片２２が下側枠６ｂに設けられる。なお、遊技領域２０は上下方向に余裕があってもよく、遊技盤７が下側枠６ｂで支持され位置規制手段により位置規制された状態で遊技盤７の上方に隙間が生じても、遊技盤７が必ず下側枠６ｂで支持されるため、取付位置が確定し安定した状態で取付けることができる。逆に、隙間が生じても遊技盤７を設置領域２０に設置操作し易くなるという利点がある。当然、左右方向に隙間が生じるようにしてもよいが、発射レール１７とガイドレール１２との位置関係において、好ましくは正面視して左方が取付枠６に当接し、右方に隙間が生じるようにした方がよい。また、遊技盤７の周縁近傍に前記係止部材２５が装着される設置溝３１が設けられ、開放端は細径軸部２６より僅かに縮径して形成される。前記左右側縁に位置する設置溝３１は、僅かに下向き開放の傾斜状に設けられている。というのも、係止部材２５を持って遊技盤７を持ち上げた際に、遊技盤７の荷重によって係止部材２５が外れないようにすることができるからである。さらに、従来係止部材２５が遊技盤７側に設けられていることがなかったために、遊技盤７を取付枠６に取着する際に、遊技盤７の前面部品（例えばガイドレール１２や周囲の盤面部品）又は裏面部品（例えば表示装置１３等の中央役物の裏側部分）を直接持って行っていた。そのために、把持した部品により指先を傷付けることもしばしばあり、装着し難いものであった。しかし、遊技盤７側に係止部材２５を設けることにより、操作片２９，３０を摘みながら安定した状態で取付作業を行うことができ、指先を傷付けることもない。
【００２８】
次に、上記構成の遊技盤７の取付枠６への装着の仕方を説明する。なお、取付枠６の前方及び後方から遊技盤７を装着し得ることは、前記実施例と同じであるので、前方からの装着について説明する。先ず、図９に示すようにガラス扉枠３を開放した状態で、遊技盤７の設置溝３１に係止部材２５を嵌挿させ、遊技盤７に回動自在に取付ける。このとき、各係止部材２５の前後挟着片２７，２８が遊技盤７の外周からはみ出さないように位置させた状態に設置する。そして、好ましくは指で対角線上の係止部材２５の操作片２９を摘んで遊技盤７を持ち上げ、遊技盤７の装着方向に対して手前に位置する前当片２１より後方に遊技盤７が臨むように、設置領域２０を正面視して、該設置領域２０を上下にほぼ二分する左右方向の仮想線を仮想回転軸として、取付枠６に対して遊技盤７を傾斜させる。実施例においては、図１０鎖線に示すように遊技盤７の上方が、装着方向側に位置するように上下側枠６ａ，６ｂと同方向の仮想回転軸により遊技盤７を回転させ、遊技盤７が後傾した状態で、遊技盤７上部前面が前当片２１と対峙するように設置領域２０に臨ませる。この状態で、図１０矢印に示すように遊技盤７の上方を手前へ引くと共に下方を後方に押すようにして、取付枠６に対し遊技盤７が平行になるように前記仮想回転軸により遊技盤７を回転させて、遊技盤７の上部前面を前当片２１に当接させると共に、下部後面を後当片２２に当接させて遊技盤７を設置領域２０に位置決めさせる。そして、係止部材２５の操作片２９を操作して回動させ、図１１に示すように前後挟着片２７，２８を左右側枠６ｃ，６ｄの前面及び後面に係止させると、遊技盤７が設置領域２０に確固と固定される。また、遊技盤７の取外しは、逆に操作片２９を操作して係止部材２５の挟着片２７，２８を左右側枠６ｃ，６ｄの前面及び後面から外して、前後当片２１，２２により位置決めされた状態とし、操作片２９を摘みながら遊技盤７の下方が後当片２２から離間するように遊技盤７を傾斜させ、遊技盤７の前面と前当片２１との当接を解除して、該前当片２１を避けるように遊技盤７を手前に引き出せば取外すことができる。なお、実施例において係止部材２５を遊技盤７の左右両側に設けるようにしたが、遊技盤７の上下に位置して設けるようにしてもよく、該係止部材２５により上下側枠６ａ，６ｂに係止するようにすればよい。また、詳細な説明は省略するが、この実施例においても当然前面側からの取付けと同様に、取付枠６の後面側からも遊技盤７を取付けることが可能である。
【００２９】
なお、前記固定手段は、係止部材２５を遊技盤７面に対して垂直な回動軸を中心として回動自在に設けるようにしたが、設置領域２０と平行面内でスライド自在に設けるようにしてもよい。さらに、固定手段を遊技盤７又は取付枠６に固定的に設けるようにしてもよい。また、前記実施例でもいえることではあるが、遊技盤７の取付時に、遊技盤７に係止部材２５を設けた際には前後挟着片２７，２８が遊技盤７の外周から突出しないようにし、取付枠６側に係止部材２５を設けた際には前後挟着片２７，２８が設置領域２０内に臨まないようにするのが好ましい。特に、遊技盤７に係止部材２５を設けた際には、該遊技盤７の運搬時等に前後挟着片２７，２８が衝突した衝撃により破損することがない。
【００３０】
また、係止部材２５の挟着片２７，２８は、必ずしも遊技盤７又は取付枠６の前面及び後面に係止する必要はなく、遊技盤７又は取付枠６に切溝状に設けた係止部に係合させるようにしてもよい。また、固定手段は実施例に示したものに限定されるものではなく、例えば図１２に示すように軸部２６を介して前後挟着片２７，２８と相対する側に取付枠６又は遊技盤７に当接する当接片部３３を設け、係止部材２５を取付枠６側に設けた際には前記当接片部３３が取付枠６に当接し、係止部材２５を遊技盤７側に設けた際には前記当接片部３３が遊技盤７に当接して、係止部材２５の操作性及び安定性を高めるようにしてもよい。このとき、前記当接片部３３を前後挟着片２７，２８とほぼ同じ大きさに対称的に設けることで、該当接片部３３又は前後挟着片２７，２８のいずれか一方で遊技盤７を挟着することができ、係止部材２５を左右どちらに回動させても係止固定することができるため、人それぞれ回動操作方向に得手不得手があっても対応することができる。
【００３１】
また、遊技盤７を仮想回転軸により回動して設置領域２０に装着した状態で、遊技盤７が周方向に圧着されるようにテーパー面を有するリブ壁又は弾性部材を上下左右側枠６ａ〜６ｄの内周面に設けるようにしてもよい。また、固定手段は設置領域２０の周縁近傍又は遊技盤７の周縁近傍に位置するランプ飾り，ガラス保護板，証紙貼着部材等の飾り部材又は遊技を演出する入賞装置及び表示装置等の装着部材，スピーカ等をスライド又は回動し得るように可動自在に設けて、該装着部材を可動させることにより遊技盤７の前後方向の移動を阻止して固定させるようにしてもよい。
【００３２】
また、前記係止部材２５の係止状態及び解除状態を位置規制する位置決め手段を設けるのが好ましく、該位置決め手段は凹凸の係合であったり、規制片への衝止であったりすればよい。具体的には、図１２に示すように前記前後挟着片２７，２８の内面に係止部材２５の規定位置を位置決めする小突起３５を設けて、取付枠６又は遊技盤７に該小突起３５に対応する凹部３６を形成すればよい。該小突起３５は係止時の圧接力を高める効果を有する。また、係止部材２５の位置決め手段は、遊技盤７に設けられる装飾部材等の盤面部品に設けるようにしても、図１３に示すように係止部材２５と該係止部材２５の回動に沿ったリブ壁３４に小突起３５及び凹部３６を設けるようにしてもよい。
【００３３】
また、ガラス扉枠３を閉じた状態において、遊技盤７の前面側に突出する前記係止部材２５自体又は操作片２９等が嵌る凹凸部若しくは孔を、ガラス扉枠３の裏面側に位置する飾り板又は補強板に形成し、突出した前記係止部材２５の操作片２９等が嵌るようにするのがよい。好ましくは、係止部材２５を規定位置に回動して遊技盤７を固定した状態で、前記係止部材２５自体又は操作片２９が嵌る形状とし、万一、係止部材２５が遊技盤７をずれた状態で係止している場合には、該係止部材２５がガラス扉枠３裏面に衝止して該ガラス扉枠３を閉鎖することができないため、係止部材２５が確実に定位置で係止しているかを確認する確認手段とすることができる。さらに、係止部材２５が振動等により無用に回動しないように位置決めすることもできる。
【００３４】
さらに、係止部材２５の設置溝３１に対する着脱に際して、図１２に示すように前記軸部２６をＤカット又は一対の平行面を有する小判型にすることにより小径部を形成し、それに伴い設置溝３１の開口幅を該軸部２６の小径部が入る程度の幅に設定するのが好ましい。そして、軸部２６の小径部を設置溝３１に臨ませて係止部材２５を回動させるようにすれば、大径部が設置溝３１の開口側に位置して係止部材２５は設置溝３１から抜脱することはない。このとき、係止部材２５は遊技盤７を固定する状態で装着するようにして、回動させて遊技盤７を取付枠６に取付け得る状態とするのがよく、前記位置決め手段により仮固定するのがよい。というのも、係止部材２５を回動させて遊技盤７を取付枠６に固定した状態にして、軸部２６の小径部が開口に対応していても、設置溝３１の開口を取付枠６又は遊技盤７が閉塞しているので、係止部材２５が外れることはない。なお、前記軸部２６の形状は必ずしも設置溝３１に合致する円弧面を有することなく、小径部と大径部を有する方形状又は楕円として、最大径部を設置溝３１の円弧面の直径とすればよい。また、設置溝３１の開口を縮幅することなく、図１３に示すように前記前後挟着片２７，２８の外周の回動に沿ったリブ壁３４を設けて、図１３鎖線で示す遊技盤７の取付位置で係止部材２５を開口から挿通し、係止部材２５を遊技盤７が取付枠６に取付けられる同図実線状態に回動することにより、同図実線に示すように前記リブ壁３４により前後挟着片２７，２８の開口方向への移動が阻止され外れなくすることができる。
【００３５】
また、実施例において、前記位置規制手段を取付枠６に設けるようにしたが、遊技盤７に設けるようにしてもよく、前記取付枠６の後面に当接して遊技盤７の前方への移動を阻止する前規制部２１と該取付枠２０の前面に当接して遊技盤７の後方への移動を阻止する後規制部２２とにより構成され、前記遊技盤７を正面視して、該遊技盤７の周縁部分の任意の２点を結ぶ仮想直線により区分される領域のいずれか一方の領域に前記前規制部２１が位置し、他方の領域に前記後規制部２２が位置するように設けるようにしてもよい。前記位置決め手段の後規制部２２は、遊技盤７面に装着される飾りランプ，証紙等を貼着する装飾部材の一部を遊技盤の外方に突出するように設けるようにすればよい。また、前規制部２１は、アウト口の後面を閉塞する閉塞板又は遊技盤７の裏面に設けられ前記入賞口１４に入賞したパチンコ球を誘導する入賞球通路の一部を遊技盤７の外方に突出するように設けるようにすればよい。
【００３６】
さらに、前記取付枠６に対する遊技盤７の相対位置を決める前規制部２１と後規制部２２は、いずれか一方を取付枠６に設け、他方を遊技盤７側に設けるようにしてもよく、前記遊技盤７を取付枠６に装着した状態を正面視して、該遊技盤７の周縁部分の任意の２点を結ぶ仮想直線により区分される領域のいずれか一方の領域に前記前規制部２１が位置し、他方の領域に前記後規制部２２が位置するように設けるようにしてもよい。当然のことながら、前規制部２１及び後規制部２２は、前記遊技盤７の取着時に遊技盤７が傾斜状態で設置領域２０内に臨み得るように設けられている。例えば下側枠６ｂに遊技盤７の前方への移動を阻止する前規制部２１を設け、遊技盤７の上部前面に遊技盤７の後方への移動を阻止する後規制部２２を設けるようにすればよい。具体的には、前記後規制部２２は、遊技領域７ａ外に装着される飾りランプを遊技盤７の上端より外方に突出するように設けるようにすればよい。
【００３７】
また、前記実施例において、設置領域２０を上下左右側枠６ａ〜６ｄにより方形状に形成するようにしたが、この形状に限定されることなく、設置領域２０は円形であっても蒲鉾型であっても、本発明は適用可能である。当然のことながら、設置領域２０の形状に伴い遊技盤７の形状も変化する。
【００３８】
なお、本件は前後規制部２１，２２を遊技盤７の設置領域２０の周縁全部に設けることがないため、針金等の不正具の進入を防ぐ不正防止手段を設けるのが好ましく、特に前記前後規制部２１，２２が設けられていない個所に、例えば、前面枠２の前面とガラス扉枠３の裏面側とに互いに係合する凹凸部を設けるようにすればよい。また、遊技盤７の遊技領域７ａ外の前面とガラス扉枠３の裏面側とに互いに係合する凹凸部を設けるようにしてもよい。このとき、遊技盤７の前面に直接溝を切削しても凸条を別途設けるようにしてもよい。なお、前記遊技盤７側の凹凸部は、該遊技盤７に設けられるレンズ飾り，証紙貼着部材等に設けるようにしてもよい。
【図面の簡単な説明】
【００３９】
【図１】本発明が適用されるパチンコ遊技機の正面図である。
【図２】本発明が適用されるパチンコ遊技機の裏面図である。
【図３】ガラス扉枠を開き取付枠から遊技盤を取外した状態のパチンコ遊技機の正面斜視図である。
【図４】機構板を開き取付枠から遊技盤を取外した状態のパチンコ遊技機の裏面斜視図である。
【図５】係止部材を外して示す取付枠の要部の斜視図である。
【図６】遊技盤の取付状態を示す平面断面図である。
【図７】遊技盤の取付状態を示す平面断面図である。
【図８】（イ），（ロ）は位置規制手段の他の実施例を示す説明図である。
【図９】ガラス扉枠を開き取付枠から遊技盤を取外した状態の他の実施例のパチンコ遊技機の正面斜視図である。
【図１０】遊技盤の取付状態を示す側面断面図である。
【図１１】遊技盤の取付状態を示す平面断面図である。
【図１２】係止部材の他の実施例を示す斜視図である。
【図１３】係止部材の取付けを示す要部正面図である。
【符号の説明】
【００４０】
６                取付枠
７                遊技盤
２０              設置領域
２１              前当片（位置規制手段，前規制部）
２２              後当片（位置規制手段，後規制部）
２５              係止部材（固定手段）
２７，２８        挟着片
２９，３０        操作片（操作部）
【図１】
2005021616.tif 000003
【図２】
2005021616.tif 000004
【図３】
2005021616.tif 000005
【図４】
2005021616.tif 000006
【図５】
2005021616.tif 000007
【図６】
2005021616.tif 000008
【図７】
2005021616.tif 000009
【図８】
2005021616.tif 000010
【図９】
2005021616.tif 000011
【図１０】
2005021616.tif 000012
【図１１】
2005021616.tif 000013
【図１２】
2005021616.tif 000014
【図１３】
2005021616.tif 000015